(57)【要約】【課題】電子マネーの入金処理に用いる情報を容易に更改することの可能な電子マネー入金システムを提供する。【解決手段】電子マネー入金機２００に入力された入金額を取得するとともに、ＩＣカード１００の電子マネー残高１２１ｃに入金額を加算するための入金処理コマンドを、電子マネー入金機２００を介してＩＣカード１００に送信する電子マネー管理サーバ５００を備えたので、入金処理コマンドのように電子マネーの入金処理に用いる情報を電子マネー管理サーバ５００のみに格納することができ、電子マネー管理サーバ５００のメンテナンスを行うだけで電子マネーの入金処理に用いる情報を更新することができる。従って、電子マネーの入金処理に用いる情報を容易に更新することができるので、電子マネー入金機２００のメンテナンス作業を容易に行うことができる。【選択図】図１
2007219656.tif 000002
【特許請求の範囲】
【請求項１】
電子マネーサービスで用いられる電子マネーの残高が記憶されたＩＣチップに対して、ＩＣチップの電子マネー残高に入金額を加算するための入金情報を送信する電子マネー入金機を備えた電子マネー入金システムにおいて、
前記電子マネー入金機に入力された入金額を取得するとともに、ＩＣチップの電子マネー残高に入金額を加算するための入金情報を、電子マネー入金機を介してＩＣチップに送信する管理サーバを備えた
ことを特徴とする電子マネー入金システム。
【請求項２】
前記管理サーバは、電子マネー入金機に電源が投入されると、電子マネー入金機との間で所定の認証情報を用いて所定の認証処理を行い、電子マネー入金機を認証した場合に入金情報をＩＣチップに送信する
ことを特徴とする請求項１記載の電子マネー入金システム。
【請求項３】
前記管理サーバは、電子マネー入金機を認証したときに所定のプログラムを電子マネー入金機に送信し、電子マネー入金機が前記プログラムを実行した場合に入金情報をＩＣチップに送信する
ことを特徴とする請求項２記載の電子マネー入金システム。
【請求項４】
前記電子マネー入金機は、電源の供給が停止されるときに前記プログラムを消去する
ことを特徴とする請求項３記載の電子マネー入金システム。
【請求項５】
前記電子マネー入金機は、前記プログラムを揮発性メモリに記憶する
ことを特徴とする請求項３記載の電子マネー入金システム。
【請求項６】
前記電子マネー入金機は、前記認証情報及びプログラムを記憶する記憶手段を備え、所定の異常を検出した場合に記憶手段に記憶された認証情報及びプログラムを消去する
ことを特徴とする請求項３、４または５記載の電子マネー入金機。
【請求項７】
前記電子マネー入金機は、前記認証情報及びプログラムを記憶する補助記憶手段を備え、記憶手段の異常を検出した場合に、補助記憶手段に記憶されたプログラムを実行するとともに、管理サーバとの間で補助記憶手段に記憶された認証情報を用いて認証処理を行う
ことを特徴とする請求項６記載の電子マネー入金システム。
【請求項８】
前記電子マネー入金機は、管理サーバから入金情報を受信不能な場合にＩＣチップの電子マネー残高の読出しのみ行う
ことを特徴とする請求項１、２、３、４、５、６または７記載の電子マネー入金システム。
【請求項９】
前記電子マネー入金機は、前記ＩＣチップを備えたカードの発行を指示する発行指示入力手段と、前記カードを収容するカード収容部とを備え、発行指示手段を用いてカードの発行が指示された場合に、管理サーバから受信した入金情報をカード収容部から抽出したカードに送信するとともに、カードを外部に排出する
ことを特徴とする請求項１、２、３、４、５、６、７または８記載の電子マネー入金システム。
【請求項１０】
前記電子マネー入金機は、投入された貨幣の金種を識別する貨幣識別装置を備え、金種識別装置によって投入貨幣の異常が検出された場合に所定の異常情報を管理サーバに送信する
ことを特徴とする請求項１、２、３、４、５、６、７、８または９記載の電子マネー入金システム。
【請求項１１】
前記電子マネー入金機は、利用者を撮像することにより利用者の画像を取得する画像取得手段を備え、画像取得手段によって取得された利用者の画像を管理サーバに送信する
ことを特徴とする請求項１、２、３、４、５、６、７、８、９または１０記載の電子マネー入金システム。
【請求項１２】
前記ＩＣチップは、電子マネー残高を複数のサービス毎に記憶するとともに、
管理サーバは、電子マネー入金機で入力された入金額だけＩＣチップに記憶された任意のサービスに係る電子マネー残高を減算するとともに、ＩＣチップに記憶された他のサービスに係る電子マネー残高を加算する入金情報を電子マネー入金機を介してＩＣチップに送信する
ことを特徴とする請求項１、２、３、４、５、６、７、８、９、１０または１１記載の電子マネー入金システム。
【発明の詳細な説明】
【技術分野】
【０００１】
本発明は、例えば電子乗車券や電子決済等に用いられる電子マネーの残高が記憶されたＩＣチップに対して、入金額を電子マネー残高に加算する電子マネー入金システムに関するものである。
【背景技術】
【０００２】
従来、この種の電子マネー入金システムとして、電子マネーサービスで用いられる電子マネーの残高が記憶されたＩＣチップに対して、ＩＣチップの電子マネー残高に入金額を加算するための入金情報を送信する電子マネー入金機を備えたものが知られている（例えば特許文献１参照）。
【０００３】
このシステムで用いられる電子マネー入金機は、ＩＣチップの電子マネー残高に入金額を加算するための入金情報を格納しており、ＩＣチップに前記入金情報を送信することにより電子マネーの入金処理を行っている。
【特許文献１】特開２００５−３０１７３７号公報
【発明の開示】
【発明が解決しようとする課題】
【０００４】
しかしながら、前記従来例では、入金情報のように電子マネーの入金処理に用いる情報が電子マネー入金機に常時格納されているので、電子マネーの入金処理に用いる情報を更新する場合には、電子マネー入金機毎にメンテナンスを行う必要があり、メンテナンス作業が繁雑になるという問題点があった。
【０００５】
本発明は前記問題点に鑑みてなされたものであり、その目的とするところは、電子マネーの入金処理に用いる情報を容易に更新することの可能な電子マネー入金システムを提供することにある。
【課題を解決するための手段】
【０００６】
本発明は、前記目的を達成するために、電子マネーサービスで用いられる電子マネーの残高が記憶されたＩＣチップに対して、ＩＣチップの電子マネー残高に入金額を加算するための入金情報を送信する電子マネー入金機を備えた電子マネー入金システムにおいて、前記電子マネー入金機に入力された入金額を取得するとともに、ＩＣチップの電子マネー残高に入金額を加算するための入金情報を、電子マネー入金機を介してＩＣチップに送信する管理サーバを備えている。
【０００７】
これにより、入金情報のように電子マネーの入金処理に用いる情報を所定の管理サーバのみに格納することができるので、所定の管理サーバのメンテナンスを行うだけで電子マネーの入金処理に用いる情報を容易に更新することができる。
【発明の効果】
【０００８】
本発明によれば、電子マネーの入金処理に用いる情報を容易に更新することができるので、電子マネー入金機のメンテナンス作業を容易に行うことができる。
【発明を実施するための最良の形態】
【０００９】
図１乃至図９は本発明の第１の実施形態を示すもので、図１は電子マネー入金システムの機能構成図、図２はＩＣカードの機能構成図、図３は電子マネー入金機の斜視図、図４は入金履歴のデータ構造の一例を示す図、図５は認証処理の動作を説明するシーケンス図、図６は入金処理の動作を説明するシーケンス図、図７は投入貨幣の識別処理の動作を説明するシーケンス図、図８はカード発行処理の動作を説明するシーケンス図、図９は不正解錠を検出した場合の動作を説明するシーケンス図である。
【００１０】
この電子マネーシステムは、図１に示すように、電子マネーの残高を記憶するＩＣチップが埋設されたＩＣカード１００と、ＩＣカード１００の電子マネーの残高に入金額を加算するための入金情報としての入金処理コマンドをＩＣカード１００に送信する電子マネー入金機２００と、電子マネー入金機２００に入力された入金額に基づいて生成した入金処理コマンドをネットワーク４００及び電子マネー入金機２００を介してＩＣカード１００に送信する電子マネー管理サーバ５００とを備えている。
【００１１】
ＩＣカード１００には、後述する電子マネー入金機２００のリーダライタ２１０との間で信号を送受信するコイル状のアンテナ（図示省略）と、アンテナに接続されたＩＣチップとが埋設されている。ＩＣチップには、図２に示すようにＩＣチップ内の回路を制御するＩＣカード制御部１１０と、各種情報を記憶するＩＣカード記憶部１２０とが設けられている。ＩＣカード記憶部１２０は、ＩＣカード１００を用いたサービス毎に領域が区画されており、電子マネーサービス用の領域には、サービスを識別するためのサービスＩＤ１２１ａと、サービスの利用者を識別するための利用者ＩＤ１２１ｂと、電子マネー残高１２１ｃとが記憶されている。また、ＩＣカード制御部１１０は、電子マネー残高１２１ｃを読出すための読出処理コマンドをアンテナを介して受信した場合に、ＩＣカード記憶部１２０のサービスＩＤ１２１ａ，利用者ＩＤ１２１ｂ及び電子マネー残高１２１ｃをアンテナを介して送信するとともに、電子マネー残高１２１ｃに入金額を加算するための入金処理コマンドを受信した場合に、入金処理コマンドに含まれる入金額をＩＣカード記憶部１２０の電子マネー残高１２１ｃに加算する。なお、本実施形態では、入金処理コマンドを、本願請求項でいう入金情報として用いている。
【００１２】
電子マネー入金機２００は、前面を開口したカード載置部２０１と、紙幣を投入するための紙幣投入口２０２と、硬貨を投入するための硬貨投入口２０３と、電子マネー入金機２００の前面に設けられた外扉２０４と、外扉２０４を施錠するためのシリンダー錠２０５と、ＩＣカード１００に対してデータの読み書きを行うリーダライタ２１０と、各種情報を記憶する記憶部２２０及び補助記憶部２３０と、利用者の指示内容を入力するための入力部２４０と、各種情報を表示する表示部２５０と、投入された貨幣の正当性及び金種を識別する貨幣識別装置２６０と、シリンダー錠２０５の不正解錠を検出する解錠検出部２７０と、電子マネー残高１２１ｃが記憶されたＩＣカード１００を収容するカード収容部２８０と、カード収容部２８０に収容されたＩＣカード１００をリーダライタ２１０に搬出するカード搬出機構２９０と、利用者を撮像することにより利用者の画像を取得する画像取得手段としての画像取得部３００と、ネットワーク４００と接続するための通信装置３１０と、上記の各機器を制御する制御部３２０とを備えている。
【００１３】
リーダライタ２１０は、カード載置部２０１の下部に設けられており、カード載置部２０１に載置されたＩＣカード１００との間でコマンド及びデータの送受信を行う。また、リーダライタ２１０には、ＩＣカード１００との間で非接触で通信を行うためのアンテナが設けられている。
【００１４】
記憶部２２０及び補助記憶部２３０は、ともにＥＥＰＲＯＭ等の書き換え可能な記憶素子であり、電子マネー管理サーバ５００との認証処理に必要な暗号鍵、入金機識別情報及びパスワード等が格納された認証情報２２１を記憶している。また、各装置２２０，２３０には、後述の画像取得部３００によって取得された画像情報２２２と、電子マネー管理サーバ５００から受信したコマンド取得プログラム５２２とが記憶される。
【００１５】
入力部２４０は、複数の入金額指定ボタン２４１と、ＩＣカード１００の発行を指示する発行指示手段としてのカード発行ボタン２４２とから構成されている。各入金額指定ボタン２４１には、「１０００円」や「３０００円」等のようにそれぞれ異なった金額が割り当てられており、任意の入金額指定ボタン２４１が押下されると、そのボタンに応じた金額が入金額として入力される。
【００１６】
表示部２５０は液晶ディスプレイであり、ＩＣカード１００の電子マネー残高１２１ｃや投入金額等を表示する。貨幣識別装置２６０は、紙幣投入口２０２に投入された紙幣及び硬貨投入口２０３に投入された硬貨の正当性及び金種を識別するとともに、投入貨幣の正当性を識別した場合に投入貨幣を受容する。
【００１７】
解錠検出部２７０は周知のスイッチであり、シリンダー錠２０５の内部に設けられている。また、解錠検出部２７０は、ピッキング工具等の不正な鍵を用いてシリンダー錠２０５を解錠する場合にのみ押下されるように設けられており、押下された場合には所定の検出信号を制御部３２０に送信する。
【００１８】
カード収容部２８０は、複数のＩＣカード１００を収容する周知の構成からなり、ＩＣカード１００を一枚ずつ抽出するとともに、抽出したＩＣカード１００をカード搬出機構２９０側に落下搬出するようになっている。なお、カード収容部２８０に収容されている各ＩＣカード１００の電子マネー残高１２１ｃには金額が記憶されていない。
【００１９】
カード搬出機構２９０は、無端状のベルトと周知の駆動機構を備え、カード収容部２８０から搬出されたＩＣカード１００をベルトの外周に載置するとともに、周知の駆動機構（図示省略）によってベルトを走行させることにより、ＩＣカード１００をカード載置部２０１まで搬出する。
【００２０】
画像取得部３００は周知のカメラであり、電子マネー入金機２００の前面に設けられている。画像取得部３００は、電子マネー入金機２００の前方の所定範囲内を撮像するように設定されており、所定範囲内を撮像することによって利用者の画像を取得する。また、取得された利用者の画像は、画像情報２２２として記憶部２２０及び補助記憶部２３０に記憶される。
【００２１】
通信装置３１０は、ネットワーク４００に接続するためのモデム等の通信機器である。なお、本実施形態では、ネットワーク４００として公衆回線網を用いており、これに対応してモデムを通信装置３１０として用いている。
【００２２】
制御部３２０は、ＲＯＭ、ＲＡＭ及びＣＰＵ等を備え、電子マネー管理サーバ５００との認証処理、電子マネーの入金処理及びＩＣカード１００の発行処理等を行う。なお、これらの処理の具体的な内容については後に詳説する。また、制御部３２０のＲＯＭには、前記読出処理コマンドが記憶されており、制御部３２０は、読出処理コマンドをＩＣカード１００に送信することにより、ＩＣカード１００の電子マネー残高１２１ｃを読出すことができる。
【００２３】
電子マネー管理サーバ５００は、各電子マネー入金機２００のアドレス情報を記憶するアドレス情報記憶部５１０と、各種情報を記憶する記憶部５２０と、ネットワーク４００と接続するための通信装置５３０と、上記の各機器を制御するサーバ制御部５４０とを備えている。アドレス情報記憶部５１０には、電子マネー入金機２００の入金機識別情報及びアドレス情報が記憶されている。ここで、本実施形態では、電話番号をアドレス情報として用いている。また、記憶部５２０には、電子マネー入金機２００と暗号化通信を行うための暗号鍵や電子マネー入金機１００との認証に必要な入金機識別情報及びパスワード等が格納された認証情報５２１と、電子マネー管理サーバ５００に対して前記入金処理コマンドの送信要求を行うコマンド取得プログラム５２２と、図３に示すように電子マネーが入金されたＩＣカード１００の利用者ＩＤ１２１ｂ、電子マネーの入金額及び取引日付により構成された入金履歴５２３とが記憶されている。
【００２４】
次に、電子マネー入金システムの認証処理に係る動作について図５のシーケンス図を参照して説明する。まず、電子マネー入金機２００の制御部３２０は、電源が投入されると（ステップＳ１）、通信装置３１０を介して電子マネー管理サーバ５００に発呼して（ステップＳ２）、電子マネー入金機２００と電子マネー管理サーバ５００との間の接続を確立する。ここで、電子マネー入金機２００と電子マネー管理サーバ５００との間の通信経路は、各装置に記憶されている認証情報２２１，５２１の暗号鍵を用いて暗号化される。そして、確立された暗号化通信経路上において、制御部３２０は、電子マネー管理サーバ５００との間の認証処理を行う（ステップＳ３）。この認証処理では、電子マネー入金機２００の認証情報２２１と、電子マネー管理サーバ５００の認証情報５２１とがそれぞれ用いられる。
【００２５】
次いで、電子マネー管理サーバ５００のサーバ制御部５４０は、電子マネー入金機２００のアドレス情報をアドレス情報記憶部５１０から取得し、取得したアドレス（本実施形態では電話番号）に対してコールバックする（ステップＳ４）。なお、このコールバックにおける通信経路も暗号化される。そして、前記ステップＳ３と同様に認証処理が行われる（ステップＳ５）。以上の処理により全ての認証処理が完了したら、サーバ制御部５４０は、電子マネー管理サーバ５００の記憶部５２０に記憶されているコマンド取得プログラム５２２を電子マネー入金機２００に送信する（ステップＳ６）。そして、電子マネー入金機２００の制御部３２０は、電子マネー管理サーバ５００から受信したコマンド取得プログラム５２２を記憶部２２０及び補助記憶部２３０に記憶する（ステップＳ７）。一方、上記ステップＳ３またはＳ５の何れかの認証処理が失敗した場合には、サーバ制御部５４０は、コマンド取得プログラム５２２の送信を行わない。
【００２６】
なお、上記シーケンスでは説明を省略したが、電子マネー入金機２００の制御部３２０は、電子マネー入金機２００への電源供給が停止されるときに、記憶部２２０及び補助記憶部２３０に記憶されたコマンド取得プログラム５２２を消去する。
【００２７】
また、電子マネー入金機２００の制御部３２０は、ステップＳ３またはＳ５の何れかの認証処理の失敗またはネットワーク４００の異常等によって、電子マネー管理サーバ５００からコマンド取得プログラム５２２を受信不能な場合に、ＩＣカード１００の電子マネー残高１２１ｃの読出しのみを行う。この場合、電子マネー入金機２００の制御部３２０は、カード載置部２０１にＩＣカード１００が載置されたときに、ＩＣカード１００に対して読出処理コマンドを送信するとともに、ＩＣカード１００から受信した電子マネー残高１２１ｃを表示部２５０に表示する。
【００２８】
次に、電子マネー入金システムの入金処理に係る動作について図６のシーケンス図を参照して説明する。なお、本実施形態では、電子マネー入金機２００と管理サーバ５００との認証処理が正常に行われた場合にのみ入金処理を行うことができる。まず、電子マネー入金機２００の制御部３２０は、ＩＣカード１００をカード載置部２０１に載置するように案内するメッセージを表示部２５０に表示させる（ステップＳ１１）。このとき、制御部３２０は、リーダライタ２１０を介してＩＣカード１００から応答信号を受信するまで、リーダライタ２１０に所定の応答要求信号を送信させる。なお、本実施形態では、ＩＣカード１００固有のカードＩＤ（図示省略）を応答信号として用いている。そして、ＩＣカード１００が利用者によってカード載置部２０１に載置されると（ステップＳ１２）、ＩＣカード１００のＩＣカード制御部１１０は、リーダライタ２１０から受信した応答要求信号に対して応答信号を送信する。
【００２９】
制御部３２０は、ＩＣカード１００から応答信号を受信することによりＩＣカード１００を検出するとともに（ステップＳ１３）、ＩＣカード１００との間で電子マネーの残高読出処理を行う（ステップＳ１４）。具体的には、ＩＣカード制御部１１０は、電子マネー入金機２００の制御部３２０からリーダライタ２１０を介して受信した読出処理コマンドに対して、ＩＣカード記憶部１２０のサービスＩＤ２１ａ，利用者ＩＤ１２１ｂ及び電子マネー残高１２１ｃをリーダライタ２１０に送信する。そして、制御部３２０は、ＩＣカード１００から受信した電子マネー残高１２１ｃを表示部２５０に表示する（ステップS１５）。
【００３０】
次いで、入金額指定ボタン２４１を用いて入金額が入力されると（ステップS１６）、制御部３２０は、入力された入金額の投入を要求するメッセージを表示部２５０に表示する。そして、入金額に応じた貨幣が紙幣投入口２０２または硬貨投入口２０３に投入されると（ステップＳ１７）、制御部３２０は、記憶部２２０に記憶されたコマンド取得プログラム５２２を実行する（ステップＳ１８）。なお、ステップＳ１７における具体的な処理内容は後に詳説する。
【００３１】
次に、制御部３２０は、コマンド取得プログラム５２２を実行することによって電子マネー管理サーバ５００に対して入金処理コマンドの送信要求を行う。具体的には、制御部３２０は、ステップＳ１４においてＩＣカード１００から受信した利用者ＩＤ１２１ｂ及び電子マネー残高１２１ｃと、ステップＳ１６において入力された入金額とを通信装置３１０及びネットワーク４００を介して電子マネー管理サーバ５００に送信する（ステップＳ１９）。また、電子マネー管理サーバ５００のサーバ制御部５４０は、通信装置５３０を介して電子マネー入金機２００から入金額、利用者ＩＤ１２１ｂ及び電子マネー残高１２１ｃを受信すると、ＩＣカード１００との間で電子マネーの入金処理を行う（ステップＳ２０）。
【００３２】
ここで、電子マネーの入金処理について具体的に説明すると、まず、サーバ制御部５４０は、受信した入金額を含むように入金処理コマンドを生成するとともに、この入金処理コマンドを通信装置５３０及びネットワーク４００を介して電子マネー入金機２００に送信する。次に、電子マネー入金機２００の制御部３２０は、電子マネー管理サーバ５００から受信した入金処理コマンドを、リーダライタ２１０を介してＩＣカード１００に送信する。そして、ＩＣカード１００のＩＣカード制御部１１０は、電子マネー入金機２００から入金処理コマンドを受信すると、コマンドに含まれた入金額を電子マネー残高１２１ｃに加算する。次に、ＩＣカード制御部１１０は、電子マネー残高１２１ｃの加算を完了した後に、加算処理の完了を示す応答信号を電子マネー入金機２００に送信する。そして、電子マネー管理サーバ５００のサーバ制御部５４０が、電子マネー入金機２００の制御部３２０によって送信された応答信号を受信することにより、電子マネーの入金処理が完了する。
【００３３】
また、電子マネー管理サーバ５００のサーバ制御部５４０は、電子マネーの入金処理が完了した後に、前記ステップＳ１９において電子マネー入金機２００から受信した入金額及び利用者ＩＤ１２１ｂに取引日付を組み合わせた情報を記憶部５２０の入金履歴５２３に記憶する（ステップＳ２１）。
【００３４】
なお、上記シーケンスでは説明を省略したが、電子マネー入金機２００の制御部３２０は、記憶部２２０の異常を検出した場合、即ち記憶部２２０の破損等により記憶部２２０の認証情報２２１及びコマンド取得プログラム５２２を読出すことができない場合に、補助記憶部２３０に記憶された認証情報２２１を用いて電子マネー管理サーバ５００との間で前述した認証処理を行うとともに、補助記憶部２３０に記憶されたコマンド取得プログラム５２２を用いて前記ステップＳ２０の入金処理を行う。
【００３５】
次に、上記シーケンスの説明において省略した投入貨幣の識別処理に係る動作について図７のシーケンス図を参照して説明する。まず、前記ステップＳ１７と同様に貨幣が投入されると（ステップＳ３１）、貨幣識別装置２６０は、貨幣が投入されたことを示す貨幣検出信号を制御部３２０に送信する。制御部３２０は、貨幣検出信号を受信すると、画像取得部３００に画像を取得させる（ステップＳ３２）とともに、取得した画像を記憶部２２０及び補助記憶部２３０の画像情報２２２に記憶する。
【００３６】
そして、貨幣識別装置２６０は投入貨幣の正当性及び金種を識別し（ステップＳ３３）、投入貨幣の正当性を判別した場合には、投入貨幣を受容するとともに投入貨幣の金額情報を制御部３２０に送信する。また、貨幣識別装置２６０は、例えば偽造貨幣の投入により投入貨幣の異常を検出した場合に（ステップＳ３４）、偽造貨幣を検出したことを示す偽造貨幣検出信号を制御部３２０に送信する。制御部３２０は、偽造貨幣検出信号を受信すると、記憶部２２０の画像情報２２２を電子マネー管理サーバ５００に送信する（ステップＳ３５）とともに、前記ステップＳ１８以降の処理を行わない。
【００３７】
次に、ＩＣカード１００の発行処理に係る動作について図８のシーケンス図を参照して説明する。なお、本実施形態では、電子マネー入金機２００と管理サーバ５００との認証処理が正常に行われた場合にのみＩＣカード１００の発行処理を行うことができる。まず、カード発行ボタン２４２を用いてカード発行の指示が行われた後に（ステップＳ４１）、各入金額指定ボタン２４１を用いて入金額が入力されると（ステップＳ４２）、制御部３２０は、入力された入金額の投入を要求するメッセージを表示部２５０に表示する。そして、入金額に応じた貨幣が紙幣投入口２０２または硬貨投入口２０３に投入されると（ステップＳ４３）、制御部３２０は、カード収容部２８０からＩＣカード１００を抽出させるとともに、抽出したＩＣカード１００をカード搬出機構２９０によってカード載置部２０１まで搬出させる（ステップＳ４４）。なお、ステップ４３における処理は前述した投入貨幣の識別処理と同様であり、貨幣識別装置２６０が投入貨幣の異常を検出した場合には、制御部３２０は、ステップ４４以降の処理を行わない。また、本実施形態では、ＩＣカード１００をカード搬出機構２９０によってカード載置部２０１まで搬出することにより、ＩＣカード１００が外部に排出された状態となっている。
【００３８】
次いで、制御部３２０は、応答要求信号をリーダライタ２１０から送信させることによって、カード載置部２０１に搬出されたＩＣカード１００を検出した後に（ステップ４５）、読出処理コマンドをＩＣカード１００に送信する。そして、制御部３２０は、コマンド取得プログラム５２２を実行することにより（ステップＳ４６）、ＩＣカード１００の利用者ＩＤ１２１ｂ及び電子マネー残高１２１ｃと、入金額とを電子マネー管理サーバ５００に送信する（ステップＳ４７）。一方、電子マネー管理サーバ５００のサーバ制御部５４０は、電子マネー入金機２００から利用者ＩＤ１２１ｂ、電子マネー残高１２１ｃ及び入金額を受信した後に、電子マネー入金機２００を介してＩＣカード１００との間で入金処理を行う（ステップＳ４８）。なお、ステップＳ４８の処理内容は、ステップＳ２０と同様である。
【００３９】
そして、制御部３２０は、ＩＣカード１００の発行が完了したことを示すメッセージを表示部２５０に表示する（ステップＳ４９）。また、電子マネー管理サーバ５００のサーバ制御部５４０は、電子マネーの入金処理が完了した後に、電子マネー入金機２００から受信した入金額及び利用者ＩＤ１２１ｂに取引日付を組み合わせた情報を記憶部５２０の入金履歴５２３に記憶する（ステップＳ５０）。
【００４０】
次に、電子マネー入金機２００においてシリンダー錠２０５の不正解錠を検出した場合の動作について図９のシーケンス図を参照して説明する。まず、解錠検出部２７０は、シリンダー錠２０５がピッキング工具等を用いて解錠されることにより押下されると（ステップS５１）、解錠検出信号を制御部３２０に送信する（ステップＳ５２）。制御部３２０は、解錠検出信号を受信したときに異常、即ちピッキング操作が行われていることを検出し、この後に記憶部２２０及び補助記憶部２３０に記憶された認証情報２２１及びコマンド取得プログラム５２２を消去する（ステップＳ５３）。
【００４１】
このように、本実施形態の電子マネー入金システムによれば、電子マネー入金機２００に入力された入金額を取得するとともに、ＩＣカード１００の電子マネー残高１２１ｃに入金額を加算するための入金処理コマンドを、電子マネー入金機２００を介してＩＣカード１００に送信する電子マネー管理サーバ５００を備えたので、入金処理コマンドのように電子マネーの入金処理に用いる情報を電子マネー管理サーバ５００のみに格納することができ、電子マネー管理サーバ５００のメンテナンスを行うだけで電子マネーの入金処理に用いる情報を更新することができる。従って、電子マネーの入金処理に用いる情報を容易に更新することができるので、電子マネー入金機２００のメンテナンス作業を容易に行うことができる。
【００４２】
また、電子マネー入金機２００は、投入された貨幣の金種を識別する貨幣識別装置２６０を備え、貨幣識別装置２６０によって投入貨幣の異常が検出された場合に画像情報２２２を電子マネー管理サーバ５００に送信するので、例えば偽造貨幣を検出した場合には、その貨幣を投入した利用者の画像を電子マネー管理サーバ５００に送信することができ、不正行為を集中して監視することができる。
【００４３】
さらに、電子マネー管理サーバ５００は、電子マネー入金機２００に電源が投入されると、電子マネー入金機２００との間で認証情報５２１を用いて認証処理を行い、電子マネー入金機２００を認証した場合に入金処理コマンドをＩＣカード１００に送信するので、認証処理が正常に行われた場合にのみ電子マネーの入金処理を行うことができ、不正な電子マネーの入金を確実に防止することができる。
【００４４】
また、電子マネー管理サーバ５００は、電子マネー入金機２００を認証したときにコマンド取得プログラム５２２を電子マネー入金機２００に送信し、電子マネー入金機２００がコマンド取得プログラム５２２を実行した場合に入金処理コマンドをＩＣカード１００に送信するので、電子マネー管理サーバ５００は、電子マネー入金機２００が認証処理を正常に行った後にコマンド取得プログラム５２２を実行した場合にのみ電子マネーの入金処理を行うことができ、不正な電子マネーの入金をより確実に防止することができる。
【００４５】
さらに、電子マネー入金機２００は、電源の供給が停止されるときにコマンド取得プログラム５２２を消去するので、電子マネー入金機２００への電源の供給が停止しているときには、コマンド取得プログラム５２２を読出すことができない。従って、コマンド取得プログラム５２２が実行されることがないので、不正な電子マネーの入金を確実に防止することができる。
【００４６】
また、電子マネー入金機２００は、認証情報２２１及びコマンド取得プログラム５２２を記憶する記憶部２２０を備え、シリンダー錠２０５の不正解錠を検出した場合に記憶部２２０に記憶された認証情報２２１及びコマンド取得プログラム５２２を消去するので、認証情報２２１及びコマンド取得プログラム５２２の外部への漏洩を防止することができ、認証情報２２１を用いて電子マネー入金機２００になりすますことやコマンド取得プログラム５２２を用いて不正に電子マネーの入金を行うことを確実に防止することができる。
【００４７】
さらに、電子マネー入金機２００は、認証情報２２１及びコマンド取得プログラム５２２を記憶する補助記憶部２３０を備え、記憶部２２０の異常を検出した場合に、補助記憶部２３０に記憶されたコマンド取得プログラム５２２を実行するとともに、電子マネー管理サーバ５００との間で補助記憶部２３０に記憶された認証情報２２１を用いて認証処理を行うので、記憶部２２０の破損等により記憶部２２０の認証情報２２１及びコマンド取得プログラム５２２を読出すことができない場合には補助記憶部２３０に記憶された認証情報２２１及びコマンド取得プログラム５２２を用いることができ、電子マネー入金機２００を安定して動作させることができる。
【００４８】
また、電子マネー入金機２００は、電子マネー管理サーバ５００から入金処理コマンドを受信不能な場合にＩＣカード１００の電子マネー残高１２１ｃの読出しのみ行うので、例えばネットワーク４００の異常や、電子マネー入金機２００と電子マネー管理サーバ５００との認証処理の失敗等により電子マネーの入金が不可能となる場合でもＩＣカード１００の電子マネー残高１２１ｃを読出すことができ、利用者の利便性が向上する。
【００４９】
さらに、電子マネー入金機２００は、電子マネー残高１２１ｃを記憶するＩＣチップを備えたＩＣカード１００の発行を指示する発行指示ボタン２４１と、前記カードを収容するカード収容部２８０とを備え、発行指示ボタン２４１を用いてカードの発行が指示された場合に、電子マネー管理サーバ５００から受信した入金処理コマンドをカード収容部２８０から抽出したＩＣカード１００に送信するとともに、ＩＣカード１００を外部に排出するので、電子マネー残高１２１ｃが記憶されたＩＣカード１００を新たに発行することができ、ＩＣカード１００を所望する利用者の利便性がより向上する。
【００５０】
また、電子マネー入金機２００は、投入された貨幣の金種を識別する貨幣識別装置２６０を備え、貨幣識別装置２６０によって投入貨幣の異常が検出された場合に画像情報２２２を電子マネー管理サーバ５００に送信するので、例えば偽造貨幣を検出した場合には、その貨幣を投入した利用者の画像を電子マネー管理サーバ５００に送信することができ、不正行為を集中して監視することができる。
【００５１】
さらに、電子マネー入金機２００は、利用者を撮像することにより利用者の画像を取得する画像取得部３００を備え、画像取得部３００によって取得された画像情報２２２を電子マネー管理サーバ５００に送信するので、例えば投入貨幣が偽造されていた場合には、その貨幣を投入した利用者の画像情報２２２を電子マネー管理サーバ５００に送信することができ、不正行為を集中して監視することができる。
【００５２】
以下に本発明の第２の実施形態に係る電子マネー入金システムについて説明する。本実施形態が第１の実施形態と異なる点は、電子マネーの残高を複数の電子マネーサービス毎に記憶するＩＣカード１００を備え、複数の電子マネーサービス間で電子マネーの残高を移行するようにした点にある。これにより、貨幣を用いるだけでなく他の電子マネーを用いて入金処理を行うことができる。他の構成及び動作については第１の実施形態と同様なので、ここでは相違点のみを説明する。
【００５３】
本実施形態に係る電子マネー入金機２００の入力部２４０には、図１０に示すように複数の電子マネー選択ボタン２４３が設けられている。各電子マネー選択ボタン２４３には、それぞれ異なった電子マネーサービスのサービスＩＤ１２１ａ，１２２ａが割り当てられており、任意の電子マネー選択ボタン２４３が押下されると、そのボタンに応じた電子マネーサービスのサービスＩＤ１２１ａ，１２２ａが入力される。
【００５４】
また、本実施形態に係るＩＣカード１００のＩＣカード記憶部１２０には、図１１に示すように電子マネーサービスＡの領域１２１と、電子マネーサービスＢの領域１２２が設けられており、電子マネーサービスＡの領域１２１には、電子マネーサービスＡのサービスＩＤ１２１ａ、利用者ＩＤ１２１ｂ及び電子マネー残高１２１ｃが記憶されており、電子マネーサービスＢの領域１２２には、電子マネーサービスＢのサービスＩＤ１２２ａ、利用者ＩＤ１２２ｂ及び電子マネー残高１２２ｃが記憶されている。ここで、本実施形態では、電子マネーサービスＡのサービスＩＤ１２１ａを「０００１」とし、電子マネーサービスＢのサービスＩＤ１２２ａを「０００２」としている。
【００５５】
さらに、本実施形態に係る電子マネー管理サーバ５００は、複数の電子マネーサービスを管理するように構成されており、その記憶部５２０には、図１２に示すような入金履歴５２４が記憶されている。入金履歴は、サービスＩＤ１２１ａ，１２２ａと、電子マネーの入出金が行われた電子マネーサービスの利用者ＩＤ１２１ｂ，１２２ｂと、電子マネーの入金額及び取引日付により構成されている。
【００５６】
次に、本実施形態に係る電子マネー入金システムの入金処理に係る動作について図１３のシーケンス図を参照して説明する。ここでは、例として電子マネーサービスＡの電子マネー残高１２１ｃから電子マネーサービスＢの電子マネー残高１２２ｃに入金処理を行う場合について説明を行う。なお、図１３のシーケンス図におけるステップＳ６１乃至Ｓ６３の処理内容は、図６のシーケンス図におけるステップＳ１１乃至ステップＳ１３と同様である。
【００５７】
制御部３２０は、ＩＣカード１００を検出した後に、ＩＣカード１００との間で電子マネーの残高読出処理を行う（ステップＳ６４）。具体的には、制御部３２０は、ＩＣカード１００に記憶された全ての電子マネーサービスについて読出処理コマンドを送信する。一方、ＩＣカード制御部１１０は、電子マネー入金機２００から受信した読出処理コマンドに対して、ＩＣカード記憶部１２０の電子マネーサービスＡのサービスＩＤ１２１ａ、利用者ＩＤ１２１ｂ及び電子マネー残高１２１ｃと、電子マネーサービスＢのサービスＩＤ１２２ａ、利用者ＩＤ１２２ｂ及び電子マネー残高１２２ｃとをリーダライタ２１０に送信する。そして、制御部３２０は、ＩＣカード１００から受信した電子マネーサービスＡの電子マネー残高１２１ｃと電子マネーサービスＢの電子マネー残高１２２ｃを表示部２５０に表示する（ステップS６５）。
【００５８】
次に、制御部３２０は、利用者に出入金を行う電子マネーサービスを選択させる（ステップＳ６６）。具体的には、制御部３２０は、出金を行う電子マネーサービスの選択を要求するメッセージを表示部２５０に表示させ、各電子マネー選択ボタン２４３を用いて出金を行う電子マネーサービスのサービスＩＤが入力された後に、入金を行う電子マネーサービスの選択を要求するメッセージを表示部２５０に表示させる。そして、各電子マネー選択ボタン２４３を用いて入金を行う電子マネーサービスのサービスＩＤが入力された後に、入金額指定ボタン２４１を用いて入金額が入力されると（ステップS６７）、制御部３２０は、記憶部２２０のコマンド取得プログラム５２２を実行する（ステップＳ６８）。なお、ここでは、出金を行う電子マネーサービスのサービスＩＤとして「０００１」が入力されており、入金を行う電子マネーサービスのサービスＩＤとして「０００２」が入力されている。
【００５９】
次に、制御部３２０は、コマンド取得プログラム５２２の実行によって電子マネーサービスＡのサービスＩＤ１２１ａ、利用者ＩＤ１２１ｂ及び電子マネー残高１２１ｃと、電子マネーサービスＢのサービスＩＤ１２２ａ、利用者ＩＤ１２２ｂ及び電子マネー残高１２２ｃと、入金額を電子マネー管理サーバ５００に送信する（ステップＳ６９）。一方、電子マネー管理サーバ５００のサーバ制御部５４０は、先に受信した電子マネーサービスについて出金処理を行う（ステップＳ７０）。具体的には、サーバ制御部５４０は、出金を行う電子マネーサービスのサービスＩＤ（例として「０００１」）を指定するとともに、受信した入金額を出金額として含むように入金処理コマンドを生成する。なお、ここでいう出金額とは入金額を負の数に変換したものであり、例えば入金額が「３０００」の場合には、出金額が「−３０００」となる。そして、サーバ制御部５４０は、入金処理コマンドを通信装置５３０及びネットワーク４００を介して電子マネー入金機２００に送信する。次に、電子マネー入金機２００の制御部３２０は、電子マネー管理サーバ５００から受信した入金処理コマンドを、リーダライタ２１０を介してＩＣカード１００に送信する。そして、ＩＣカード１００のＩＣカード制御部１１０は、電子マネー入金機２００から入金処理コマンドを受信すると、コマンドで指定されたサービスＩＤ１２１ａが記憶されている領域１２１内の電子マネー残高１２１ｃを出金額だけ加算する。即ち、電子マネーサービスＡの電子マネー残高１２１ｃは、入金額だけ減算される。次に、ＩＣカード制御部１１０は、加算処理の完了を示す応答信号を電子マネー入金機２００に送信する。そして、電子マネー管理サーバ５００のサーバ制御部５４０が、電子マネー入金機２００の制御部３２０によって送信された応答信号を受信することにより、電子マネーの出金処理が完了する。
【００６０】
次に、電子マネー管理サーバ５００のサーバ制御部５４０は、ステップＳ６９において後に受信した電子マネーサービス（電子マネーサービスＢ）について入金処理を行う（ステップＳ７１）。この場合、サーバ制御部５４０は、入金を行う電子マネーサービスのサービスＩＤ（例として「０００２」）を指定するとともに、受信した入金額を含むように入金処理コマンドを生成し、このコマンドを電子マネー入金機２００を介してＩＣカード１００に送信する。また、ＩＣカード１００のＩＣカード制御部１１０は、電子マネー入金機２００から入金処理コマンドを受信すると、コマンドで指定されたサービスＩＤ１２２ａが記憶されている領域１２２内の電子マネー残高１２２ｃを入金額だけ加算する。次に、ＩＣカード制御部１１０は、電子マネー残高１２１ｃの加算を完了した後に、加算処理の完了を示す応答信号を電子マネー入金機２００に送信する。そして、電子マネー管理サーバ５００のサーバ制御部５４０が、電子マネー入金機２００の制御部３２０によって送信された応答信号を受信することにより、電子マネーの入金処理が完了する。
【００６１】
そして、電子マネー管理サーバ５００のサーバ制御部５４０は、電子マネーの入金処理が完了した後に、出金処理を行った電子マネーサービス（電子マネーサービスＡ）のサービスＩＤ１２１ａ、利用者ＩＤ１２１ｂ、出金額及び取引日付を組み合わせた情報と、入金処理を行った電子マネーサービス（電子マネーサービスＢ）のサービスＩＤ１２２ａ、利用者ＩＤ１２２ｂ、入金額及び取引日付を組み合わせた情報とを記憶部５２０の入金履歴５２４に記憶する（ステップＳ７２）。
【００６２】
このように、本実施形態の電子マネー入金システムによれば、ＩＣカード１００は、電子マネー残高１２１ｃ，１２２ｃを複数のサービス毎に記憶するＩＣチップを備えるとともに、管理サーバ５００は、電子マネー入金機２００で入力された入金額だけＩＣカードに記憶された任意のサービス（電子マネーサービスＡ）に係る電子マネー残高１２１ｃを減算するとともに、他のサービス（電子マネーサービスＢ）に係る電子マネー残高１２２ｃを加算するコマンドを電子マネー入金機２００を介してＩＣカード１００に送信するので、ＩＣカード１００に記憶された各電子マネーサービスＡ，Ｂ間で電子マネーの入金処理を行うことができる。従って、貨幣を持ち合わせていない場合でも電子マネーの入金を行うことができるので、利用者の利便性をより向上させることができる。
【００６３】
なお、上記実施形態では、電子マネー入金機２００が、管理サーバ５００から受信したコマンド取得プログラム５２２を記憶部２２０及び補助記憶部２３０に記憶するように説明したが、コマンド取得プログラム５２２を制御部３２０のＲＡＭに記憶するようにしてもよい。この場合、電子マネー入金機２００への電源供給が停止しているときには、コマンド取得プログラム５２２が電子マネー入金機２００に格納されていないので、電子マネー入金機２００が盗難されたとしてもＩＣカード１００に対して電子マネーの入金が行われることがない。従って、不正な電子マネーの入金を確実に防止することができる。
【００６４】
なお、上記実施形態では、貨幣または任意の電子マネーサービスの電子マネー残高を用いて入金処理を行っているが、他にもＩＣカードに金融機関の口座番号やクレジットカードのクレジット番号等を用いて入金処理を行うようにしてもよい。この場合、ＩＣカードには金融機関の口座番号やクレジットカードのクレジット番号等が記憶される。
【００６５】
なお、上記実施形態では説明を省略したが、電子マネーの入金処理を行う際には、ＩＣカード１００と電子マネー管理サーバ５００との間でそれぞれに記憶された認証用の鍵を用いて認証処理を行い、認証処理が正常に行われた場合にのみ入金処理を行うようにしてもよい。
【図面の簡単な説明】
【００６６】
【図１】本発明の第１の実施形態に係る電子マネー入金システムの機能構成図
【図２】ＩＣカードの機能構成図
【図３】電子マネー入金機の斜視図
【図４】入金履歴のデータ構造の一例を示す図
【図５】認証処理の動作を説明するシーケンス図
【図６】入金処理の動作を説明するシーケンス図
【図７】投入貨幣の識別処理の動作を説明するシーケンス図
【図８】カード発行処理の動作を説明するシーケンス図
【図９】不正解錠を検出した場合の動作を説明するシーケンス図
【図１０】本発明の第２の実施形態に係る電子マネー入金システムの機能構成図
【図１１】ＩＣカードの機能構成図
【図１２】入金履歴のデータ構造の一例を示す図
【図１３】電子マネーの変換処理の動作を説明するシーケンス図
【符号の説明】
【００６７】
１００…ＩＣカード、１２１ｃ，１２２ｃ…電子マネー残高、２００…電子マネー入金機、２２１…認証情報、２２２…画像情報、２３０…補助記憶部、２４２…カード発行ボタン、２６０…貨幣識別装置、２７０…解錠検出部、２８０…カード収容部、３００…画像取得部、５００…電子マネー管理サーバ、５２１…認証情報、５２２…コマンド取得プログラム。
【図１】
2007219656.tif 000003
【図２】
2007219656.tif 000004
【図３】
2007219656.tif 000005
【図４】
2007219656.tif 000006
【図５】
2007219656.tif 000007
【図６】
2007219656.tif 000008
【図７】
2007219656.tif 000009
【図８】
2007219656.tif 000010
【図９】
2007219656.tif 000011
【図１０】
2007219656.tif 000012
【図１１】
2007219656.tif 000013
【図１２】
2007219656.tif 000014
【図１３】
2007219656.tif 000015